【誤訳訂正書】
【提出日】平成18年5月19日(2006.5.19)
【誤訳訂正１】
【訂正対象書類名】明細書
【訂正対象項目名】特許請求の範囲
【訂正方法】変更
【訂正の内容】
【特許請求の範囲】
【請求項１】  モノマー及び連鎖移動基を含む光開始剤化合物を熱重合することにより得られるマクロ光開始剤。
【請求項２】  連鎖移動基を含む光開始剤が、式（Ｉ）、（II）、（III）又は（IV）：
【化１】
2002517522.tif 000001
（式中、
ａは、整数１、２又は４であり；
Ａｒは、フェニル、ビフェニリル又はベンゾイルフェニル（そのそれぞれは、非置換又は１〜５個の、ハロゲン、Ｃ1−Ｃ12アルキル、Ｃ3−Ｃ12アルケニル、Ｃ5−Ｃ6シクロアルキル、フェニル−Ｃ1−Ｃ3アルキル、−ＣＯＯＨ、−ＣＯＯ（Ｃ1−Ｃ4アルキル）、−ＯＲ7、−ＳＨ、−ＳＲ8、−ＳＯＲ8、−ＳＯ2Ｒ8、−ＣＮ、−ＳＯ2ＮＨ2、−ＳＯ2ＮＨ（Ｃ1−Ｃ4アルキル）、−ＳＯ2−Ｎ（Ｃ1−Ｃ4アルキル）2、−ＮＲ9Ｒ10若しくは−ＮＨＣＯＲ9により、又は式（Ｖ）：
【化２】
2002517522.tif 000002
の基により置換されている）であるか；あるいは
Ａｒは、式（VI）又は（VII）：
【化３】
2002517522.tif 000003
の基であり；
Ａｒ1は、ａが１ならば、Ａｒと同義であり；
ａが２ならば、Ａｒ1は、式（VIII）又は（VIIIａ）：
【化４】
2002517522.tif 000004
で示される２価の芳香族基であり；
ａが４ならば、Ａｒ1は、式（VIIIb）：
【化５】
2002517522.tif 000005
で示される４価の芳香族基であり；
Ａｒ2は、下記式：
【化６】
2002517522.tif 000006
のいずれかの基（このそれぞれは、非置換又は１〜５個の、ハロゲン、Ｃ1−Ｃ12アルキル、Ｃ3−Ｃ12アルケニル、Ｃ5−Ｃ6シクロアルキル、フェニル−Ｃ1−Ｃ3アルキル、−ＣＯＯＨ、−ＣＯＯ（Ｃ1−Ｃ4アルキル）、−ＯＲ7、−ＳＨ、−ＳＲ8、−ＳＯＲ8、−ＳＯ2Ｒ8、−ＣＮ、−ＳＯ2ＮＨ2、−ＳＯ2ＮＨ（Ｃ1−Ｃ4アルキル）、−ＳＯ2−Ｎ（Ｃ1−Ｃ4アルキル）2、−ＮＲ9Ｒ10、若しくは−ＮＨＣＯＲ9により、又は上記の式（Ｖ）の基により置換されている）であるか、あるいは
Ａｒ2は、式（VIａ）又は（VIIａ）：
【化７】
2002517522.tif 000007
の基であり；
Ｘは、直接結合、−Ｏ−、−Ｓ−又は−Ｎ（Ｒ6）−であり；
Ｙは、水素、Ｃ1−Ｃ12アルキル（これは、非置換又は１〜５個の、ＯＨ、ＯＲ6、ＣＯＯＲ6、ＳＨ、Ｎ（Ｒ6）2若しくはハロゲンにより、又は式（Ｉａ）：
【化８】
2002517522.tif 000008
の基により置換されている）であるか、あるいは
Ｙは、Ｃ2−Ｃ20アルキル（これは、１〜９個の、−Ｏ−、−Ｎ（Ｒ6）−、−Ｓ−、−ＳＳ−、−Ｘ−Ｃ（＝Ｏ）−、−Ｘ−Ｃ（＝Ｓ）−、−Ｃ（＝Ｏ）−Ｘ−、−Ｘ−Ｃ（＝Ｏ）−Ｘ−、−Ｃ（＝Ｓ）−Ｘ−若しくは−Ｏ−Ｐ（＝Ｓ）（−ＳＨ）−Ｏ−により中断されている）であり、ここで、この中断されたＣ2−Ｃ20アルキルは、非置換又は１〜５個のＳＨにより置換されているか；あるいはＹは、ベンジル（これは、非置換又は１回若しくは２回−ＣＨ2ＳＨにより置換されている）であり、そして該ベンジルは、１〜４個のＣ1−Ｃ4アルキルにより更に置換されていてもよいか；あるいは
Ｙは、Ａｒ（上記と同義）；下記式：
【化９】
2002517522.tif 000009
のいずれかの基；１〜４個のＮ、Ｏ若しくは／及びＳ−原子を含む、複素環式の５〜７員の、脂肪族又は芳香族環系；１〜６個のＮ、Ｏ若しくは／及びＳ−原子を含む、８〜１２員の２環の、脂肪族又は芳香族環系（これらの単−又は２環は、非置換又はＳＨにより置換されているか、あるいは式（Ｉａ）の基により１〜５回置換されている）であるか；あるいは
Ｙは、下記式：
【化１０】
2002517522.tif 000010
のいずれかの基であり；
ｑは、１又は２であり；
ｒは、１、２又は３であり；
ｐは、０又は１であり；
ｔは、１〜６であり；
ｕは、２又は３であり；
Ｍ1は、−ＮＲ3Ｒ4又は−ＯＨであり；
Ｒ1及びＲ2は、互いに独立して、Ｃ1−Ｃ8アルキル（これは、非置換又はＯＨ、Ｃ1−Ｃ4アルコキシ、ＳＨ、ＣＮ、−ＣＯＯ（Ｃ1−Ｃ8アルキル）、−ＯＣＯ（Ｃ1−Ｃ4アルキル）若しくは−Ｎ（Ｒ3）（Ｒ4）により置換されている）であるか；又はＲ1及びＲ2は、互いに独立して、Ｃ3−Ｃ6アルケニル、フェニル、クロロフェニル、Ｒ7−Ｏ−フェニル、Ｒ8−Ｓ−フェニル又はフェニル−Ｃ1−Ｃ3−アルキル（このそれぞれは、非置換又は１〜５個のＳＨにより置換されている）であるか；又はＲ1とＲ2は、一緒になって、Ｃ2−Ｃ9アルキレン、Ｃ3−Ｃ9オキサアルキレン又はＣ3−Ｃ9アザアルキレン（このそれぞれは、非置換又は１〜５個のＳＨにより置換されている）であるか；あるいはＲ1及びＲ2は、互いに独立して、式（IX）又は（Ｘ）：
【化１１】
2002517522.tif 000011
の基であり；
Ｒ3は、水素、Ｃ1−Ｃ12アルキル；Ｃ2−Ｃ4アルキル（これは、ＯＨ、ＳＨ、Ｃ1−Ｃ4アルコキシ、ＣＮ又は−ＣＯＯ（Ｃ1−Ｃ4アルキル）で置換されている）であるか；又はＲ3は、Ｃ3−Ｃ5アルケニル、Ｃ5−Ｃ12−シクロアルキル若しくはフェニル−Ｃ1−Ｃ3アルキルであり；
Ｒ4は、Ｃ1−Ｃ12アルキル；Ｃ2−Ｃ4アルキル（これは、ＯＨ、ＳＨ、Ｃ1−Ｃ4アルコキシ、ＣＮ又は−ＣＯＯ（Ｃ1−Ｃ4アルキル）により置換されている）であるか；又はＲ4は、Ｃ3−Ｃ5アルケニル、Ｃ5−Ｃ12−シクロアルキル、フェニル−Ｃ1−Ｃ3アルキル；又はフェニル（これは、非置換又はハロゲン、Ｃ1−Ｃ12アルキル、Ｃ1−Ｃ4アルコキシ若しくは−ＣＯＯ（Ｃ1−Ｃ4アルキル）により置換されている）であるか；あるいはＲ4は、Ｒ2と一緒になって、Ｃ1−Ｃ7アルキレン、フェニル−Ｃ1−Ｃ4アルキレン、ｏ−キシリレン、２−ブテニレン、Ｃ2−Ｃ3オキサアルキレン又はＣ2−Ｃ3アザアルキレンであるか；あるいは
Ｒ3とＲ4は、一緒になって、Ｃ3−Ｃ7アルキレン（これは、−Ｏ−、−Ｓ−、−ＣＯ−若しくは−Ｎ（Ｒ6）−により中断されていることができ、かつ非置換又はＯＨ、ＳＨ、Ｃ1−Ｃ4アルコキシ若しくは−ＣＯＯ（Ｃ1−Ｃ4アルキル）により置換されている）であり；
Ｒ5は、Ｃ1−Ｃ6アルキレン、キシリレン、シクロヘキシレン（このそれぞれは、非置換又は１〜５個のＳＨにより置換されている）であるか；又はＲ5は、直接結合であり；
Ｒ6は、水素；Ｃ1−Ｃ12アルキル（これは、非置換又はＯＨ、ＳＨ若しくはＨＳ−（ＣＨ2）q−（ＣＯ）Ｏ−で置換されている）；Ｃ2−Ｃ12アルキル（これは、−Ｏ−、−ＮＨ−又は−Ｓ−で中断されている）であるか；又はＲ6は、Ｃ3−Ｃ5アルケニル、フェニル、フェニル−Ｃ1−Ｃ3−アルキル、ＣＨ2ＣＨ2ＣＮ；Ｃ1−Ｃ4アルキル−ＣＯ−ＣＨ2ＣＨ2−（これは、非置換又はＯＨ若しくはＳＨにより置換されている）；Ｃ2−Ｃ8アルカノイル（これは、非置換又はＯＨ若しくはＳＨにより置換されている）であるか；あるいはＲ6は、ベンゾイルであり；
Ｚは、下記式：
【化１２】
2002517522.tif 000012
の２価基、−Ｎ（Ｒ17）−又は−Ｎ（Ｒ17）−Ｒ18−Ｎ（Ｒ17）−であり；
Ｇは、Ｃ1−Ｃ7アルキレンであり；
Ｌ及びＥは、互いに独立して、直接結合、−Ｏ−、−Ｓ−又は−Ｎ（Ｒ6）−であるが、但しＬ及びＥは、両方同時に直接結合ではなく；
Ｍは、Ｏ、Ｓ又はＮ（Ｒ6）であり；
Ｒ7は、水素、Ｃ1−Ｃ12アルキル、Ｃ3−Ｃ12−アルケニル、シクロヘキシル、ヒドロキシシクロヘキシル；Ｃ1−Ｃ4アルキル（これは、Ｃｌ、Ｂｒ、ＣＮ、ＳＨ、−Ｎ（Ｃ1−Ｃ4アルキル）2、ピペリジノ、モルホリノ、ＯＨ、Ｃ1−Ｃ4アルコキシ、−ＯＣＨ2ＣＨ2ＣＮ、−ＯＣＨ2ＣＨ2ＣＯＯ（Ｃ1−Ｃ4アルキル）、−ＯＯＣＲ19、−ＣＯＯＨ、−ＣＯＯ（Ｃ1−Ｃ8アルキル）、−ＣＯＮＨ（Ｃ1−Ｃ4アルキル）、−ＣＯＮ（Ｃ1−Ｃ4アルキル）2、−ＣＯ（Ｃ1−Ｃ4アルキル）、又は下記式：
【化１３】
2002517522.tif 000013
のいずれかの基により一若しくは多置換されている）であるか；あるいはＲ7は、２，３−エポキシプロピル、−（ＣＨ2ＣＨ2Ｏ）mＨ；フェニル（これは、非置換又はハロゲン、Ｃ1−Ｃ4アルキル、Ｃ1−Ｃ4アルコキシ又は−ＣＯＯ（Ｃ1−Ｃ4アルキル）で置換されている）であるか；あるいはＲ7は、フェニル−Ｃ1−Ｃ3アルキル、テトラヒドロピラニル、テトラヒドロフラニル、−ＣＯＯＲ19、−ＣＯＯ（Ｃ1−Ｃ8アルキル）、−ＣＯＮＨ（Ｃ1−Ｃ4アルキル）、−ＣＯＮ（Ｃ1−Ｃ8アルキル）2、−Ｓｉ（Ｒ20）（Ｒ21）2又は−ＳＯ2Ｒ22であり；
Ｒ8は、Ｃ1−Ｃ12アルキル、Ｃ3−Ｃ12アルケニル、シクロヘキシル、ヒドロキシシクロヘキシル；Ｃ1−Ｃ4アルキル（これは、Ｃｌ、Ｂｒ、ＣＮ、ＳＨ、−Ｎ（Ｃ1−Ｃ4アルキル）2、ピペリジノ、モルホリノ、ＯＨ、Ｃ1−Ｃ4アルコキシ、−ＯＣＨ2ＣＨ2ＣＮ、−ＯＣＨ2ＣＨ2ＣＯＯ（Ｃ1−Ｃ4アルキル）、−Ｏ（ＣＯ）Ｒ19、−ＣＯＯＨ、−ＣＯＯ（Ｃ1−Ｃ8アルキル）、−ＣＯＮ（Ｃ1−Ｃ4アルキル）2、下記式：
【化１４】
2002517522.tif 000014
の基、−ＣＯ（Ｃ1−Ｃ4アルキル）又はベンゾイルにより一若しくは多置換されている）であるか；あるいはＲ8は、２，３−エポキシプロピル、フェニル−Ｃ1−Ｃ3アルキル、フェニル−Ｃ1−Ｃ3ヒドロキシアルキル；フェニル（これは、非置換又はハロゲン、ＳＨ、Ｃ1−Ｃ4アルキル、Ｃ1−Ｃ4アルコキシ若しくは−ＣＯＯ（Ｃ1−Ｃ4アルキル）により一若しくは多置換されている）であるか；あるいはＲ8は、２−ベンゾチアジル、２−ベンズイミダゾリル、−ＣＨ2ＣＨ2−Ｏ−ＣＨ2ＣＨ2−ＳＨ又は−ＣＨ2ＣＨ2−Ｓ−ＣＨ2ＣＨ2−ＳＨであり；
Ｒ9及びＲ10は、互いに独立して、水素、Ｃ1−Ｃ12アルキル；Ｃ2−Ｃ4アルキル（これは、ＯＨ、ＳＨ、Ｃ1−Ｃ4アルコキシ、ＣＮ又は−ＣＯＯ（Ｃ1−Ｃ4アルキル）で置換されている）；あるいはＲ9及びＲ10は、互いに独立して、Ｃ3−Ｃ5アルケニル、シクロヘキシル、フェニル−Ｃ1−Ｃ3アルキル；フェニル（これは、非置換又はＣ1−Ｃ12アルキル若しくはハロゲンにより一若しくは多置換されている）であるか；あるいは
Ｒ9とＲ10は、一緒になって、Ｃ2−Ｃ7アルキレン（これは−Ｏ−、−Ｓ−又は−Ｎ（Ｒ6）−により中断されていることができる）であり；
Ｒ11及びＲ12は、互いに独立して、直接結合、−ＣＨ2−、−ＣＨ2ＣＨ2−、−Ｏ−、−Ｓ−、−ＣＯ−又は−Ｎ（Ｒ6）−であるが；但しＲ11とＲ12は、同時に直接結合ではなく；
Ｒ13は、水素；Ｃ1−Ｃ8アルキル又はフェニル（このそれぞれは、非置換又は１〜５個のＳＨにより置換されている）であり；
Ｒ14、Ｒ15及びＲ16は、互いに独立して、水素又は非置換若しくはＳＨ−置換Ｃ1−Ｃ4アルキルであり；
Ｒ17は、水素、非置換若しくはＳＨ−置換Ｃ1−Ｃ8アルキル又は非置換若しくはＳＨ−置換フェニルであり；
Ｒ18は、Ｃ2−Ｃ16アルキレン（これは、非置換又は１〜５個のＳＨ基により置換されており、そしてそれは、１〜６個の−Ｏ−、−Ｓ−又は−Ｎ（Ｒ17）−により中断されていることができる）であり；
Ｒ19は、Ｃ1−Ｃ4アルキル、Ｃ2−Ｃ4アルケニル又はフェニルであり；
Ｒ20及びＲ21は、互いに独立して、Ｃ1−Ｃ4アルキル又はフェニルであり；
Ｒ22は、Ｃ1−Ｃ18アルキル、フェニル又はフェニル（これは、Ｃ1−Ｃ14アルキルにより置換されている）であり；
Ａｒ3は、フェニル、ナフチル、フリル、チエニル又はピリジルであって、このそれぞれは、非置換又はハロゲン、ＳＨ、ＯＨ若しくはＣ1−Ｃ12アルキル、Ｃ1−Ｃ4アルキル（これは、ＯＨ、ハロゲン、ＳＨ、−Ｎ（Ｒ17）2、Ｃ1−Ｃ12アルコキシ、−ＣＯＯ（Ｃ1−Ｃ18アルキル）、−ＣＯ（ＯＣＨ2ＣＨ2）nＯＣＨ3又は−ＯＣＯ（Ｃ1−Ｃ4アルキル）により置換されている）により置換されているか；又は該基類は、Ｃ1−Ｃ12アルコキシ、Ｃ1−Ｃ4アルコキシ（これは、−ＣＯＯ（Ｃ1−Ｃ18アルキル）又は−ＣＯ（ＯＣＨ2ＣＨ2）nＯＣＨ3により置換されている）により置換されているか；又は該基類は、−（ＯＣＨ2ＣＨ2）nＯＨ、−（ＯＣＨ2ＣＨ2）nＯＣＨ3、Ｃ1−Ｃ8アルキルチオ、フェノキシ、−ＣＯＯ（Ｃ1−Ｃ18アルキル）、−ＣＯ（ＯＣＨ2ＣＨ2）nＯＣＨ3、フェニル又はベンゾイルにより置換されており；
ｎは、１〜２０であり；
ｍは、２〜２０であるが；
但し、基Ａｒ、Ａｒ1、Ａｒ2、Ａｒ3、Ｒ1、Ｒ2、Ｒ3、Ｒ4、Ｒ5又はＹの少なくとも１つは、１〜５個の基ＳＨで置換されているか、又はＹは、少なくとも１つの−ＳＳ−基を含む）で示される、請求項１記載のマクロ光開始剤。
【請求項３】  モノマーが、式（XIX）：
【化１５】
2002517522.tif 000015
（式中、
Ｘ1は、−ＣＮ、−ＯＳｉ（Ｒ23）3、−Ｒ24、−ＯＲ24、−ＳＲ24、−ＮＲ25Ｒ26、−ＮＨＲ26又は下記式：
【化１６】
2002517522.tif 000016
のいずれかの基であり；
Ｙ1、Ｙ2及びＹ3は、互いに独立して、水素、Ｃ1−Ｃ4アルキル、ハロゲン、−ＣＮ又は−ＣＯＯＲ24であるか；又はＹ1とＹ3は、一緒になって、Ｃ3−Ｃ7アルキレン（これは、非置換又はＯＨ、Ｃ1−Ｃ4アルコキシ若しくは−ＣＯＯ（Ｃ1−Ｃ4アルキル）で置換されており、そしてそれは、−Ｏ−、−Ｓ−、−ＣＯ−又は−Ｎ（Ｒ6）−により中断されていてもよい）であり；
Ｘ2は、−ＯＳｉ（Ｒ23）3、−Ｒ24、−ＯＲ24、−ＳＲ24又は−ＮＲ25Ｒ26であり；
Ｒ23は、互いに独立して、水素又は脂肪族、環式脂肪族、芳香族若しくは混合された脂肪族−芳香族炭化水素基（これは、１〜２０個の炭素原子を含む）であるが、但し少なくとも１つのＲ23は、水素ではなく；
Ｒ24は、水素；又は脂肪族、環式脂肪族、芳香族若しくは混合された脂肪族−芳香族炭化水素基（これは、１〜２０個の炭素原子を含み、場合によりその脂肪族部分に１個又はそれ以上のエーテル酸素を含み、場合により１個又はそれ以上の官能置換基（これらは、熱重合条件下で非反応性である）を含み、そして場合により下記式：
【化１７】
2002517522.tif 000017
の反応性基の１個又はそれ以上を含む）であるか；又はＲ24は、少なくとも２０個の炭素原子含み、場合によりその脂肪族部分に１個又はそれ以上のエーテル酸素を含み、場合により１個又はそれ以上の官能置換基（これらは、重合条件下で非反応性である）を含み、そして場合により下記式：
【化１８】
2002517522.tif 000018
の反応性基の１個又はそれ以上を含む重合性基であり；
Ｙ4は、水素又はＣＨ3であり；
Ｚ1は、Ｏ又はＮＲ25であり；
Ｒ25及びＲ26は、互いに独立して、Ｃ1−Ｃ4アルキルであり；そして
Ｒ6は、水素；Ｃ1−Ｃ12アルキル（これは非置換又はＯＨ、ＳＨ若しくはＨＳ−（ＣＨ2）q−（ＣＯ）Ｏ−により置換されている）であるか；又はＲ6は、Ｃ2−Ｃ12アルキル（これは、−Ｏ−、−ＮＨ−又は−Ｓ−により中断されている）であるか；又はＲ6は、Ｃ3−Ｃ5アルケニル、フェニル、フェニル−Ｃ1−Ｃ3−アルキル、ＣＨ2ＣＨ2ＣＮ；Ｃ1−Ｃ4アルキル−ＣＯ−ＣＨ2ＣＨ2−（これは、非置換又はＯＨ若しくはＳＨにより置換されている）；Ｃ2−Ｃ8アルカノイル（これは、非置換又はＯＨ若しくはＳＨにより置換されている）であるか；又はＲ6は、ベンゾイルであり；そして
ｑは、１又は２である）で示される、請求項１記載のマクロ光開始剤。
【請求項４】  請求項２記載の光開始剤を、請求項３記載のモノマーと反応させることにより得られる、請求項１記載のマクロ光開始剤。
【請求項５】  請求項２記載の式（II）（式中、ａは、１であり；
Ａｒ1は、フェニル（これは、−ＯＲ7、−ＳＲ8又は−ＮＲ9Ｒ10により置換されている）であり；
Ｍ1は、−ＯＨ又は−ＮＲ3Ｒ4であり；
Ｒ1及びＲ2は、互いに独立して、Ｃ1−Ｃ8アルキル、Ｃ3−Ｃ6アルケニル又はベンジルであり；
Ｒ3及びＲ4は、Ｃ1−Ｃ12アルキルであるか、又はＲ3とＲ4は、一緒になって、Ｃ3−Ｃ7アルキレン（これは、−Ｏ−により中断されている）であり；
Ｒ7は、Ｃ1−Ｃ4アルキル（これは、ＳＨにより中断されている）であり；
Ｒ8は、Ｃ1−Ｃ4アルキル（これは、ＳＨにより置換されている）であるか、又はＲ8は、フェニル（これは、ＳＨにより置換されている）であり:
Ｒ9及びＲ10は、互いに独立して、水素又はＣ2−Ｃ4アルキル（これは、ＳＨにより置換されている）で示される光開始剤を、式（XIX）（式中、Ｘ1は、−Ｒ24、−ＯＲ24又は−Ｃ（＝Ｏ）−Ｘ2であり；
Ｙ1、Ｙ2及びＹ3は、互いに独立して、水素、Ｃ1−Ｃ4アルキル又はＣＯＯＲ24であり；
Ｘ2は、ＯＲ24であり；そして
Ｒ24は、水素、又は脂肪族若しくは環式脂肪族炭化水素基（これは、１〜２０個の炭素原子を含む）である）で示されるモノマーと反応させることにより得られる、請求項１記載のマクロ光開始剤。
【請求項６】  式（XI）：
【化１９】
2002517522.tif 000019
（式中、
ｂは、１、２又は３であり；
ＰＩは、光開始剤部分であり；そして
Ａ1は、重合性基である）である、請求項１記載のマクロ光開始剤。
【請求項７】  ＰＩが、もしｂが１ならば、式（XIIａ）又は（XIIｂ）の基であり、もしｂが２ならば、式（XIIIａ）又は（XIIIｂ）の基であり、もしｂが３ならば、式（XIVａ）：
【化２０】
2002517522.tif 000020
（式中、
Ａｒは、フェニル又はビフェニリル（そのそれぞれは、非置換又は１〜３個の、Ｃ1−Ｃ12アルキル、−ＯＲ7、−ＳＲ8若しくは−ＮＲ9Ｒ10により置換されている）であり；
Ａｒ2は、下記式：
【化２１】
2002517522.tif 000021
の基（そのそれぞれは、非置換又は１〜３個の基：Ｃ1−Ｃ12アルキル、−ＯＲ7、−ＳＲ8若しくは−ＮＲ9Ｒ10により置換されている）のいずれかであり；
Ｘは、直接結合、−Ｏ−、−Ｓ−又は−Ｎ（Ｒ6）−であり；
Ｒ1及びＲ2は、互いに独立して、Ｃ1−Ｃ8アルキル、Ｃ3−Ｃ6アルケニル、フェニル又はフェニル−Ｃ1−Ｃ3−アルキルであり；
Ｍ1は、−ＮＲ3Ｒ4又は−ＯＨであり；
Ｍ2は、式（XV）：
【化２２】
2002517522.tif 000022
の基であり；
Ｅ1は、Ｃ1−Ｃ12アルキレン、フェニレン、キシリレン、又はＣ2−Ｃ6アルキレン（これは、１〜２個の、−Ｏ−、−Ｓ−又は−ＯＣ（＝Ｏ）−により中断されている）であり；
Ｅ2は、３個の遊離の結合手を有するＣ1−Ｃ8アルキレン；３個の遊離の結合手を有するＣ2−Ｃ12アルキレン（これは、１〜３個の−Ｏ−、−Ｓ−又は−ＯＣ（＝Ｏ）−により中断されている）であるか、又はＥ2は、下記式：
【化２３】
2002517522.tif 000023
のいずれかの基であり；
Ｅ3は、４個の遊離の結合手を有するＣ1−Ｃ12アルキレン；又は４個の遊離の結合手を有するＣ2−Ｃ12アルキレン（これは、１〜３個の−Ｏ−、−Ｓ−又は−ＯＣ（＝Ｏ）−により中断されている）であり；
Ｒ3及びＲ4は、互いに独立して、水素又はＣ1−Ｃ8アルキルであるか、あるいはＲ3とＲ4は、一緒になって、Ｃ3−Ｃ7アルキレン（これは、−Ｏ−又は−Ｎ（Ｒ6）−により中断されていることができる）であり；
Ｒ6は、水素、Ｃ1−Ｃ8アルキル又はフェニルであり；
Ｒ7は、水素、Ｃ1−Ｃ8アルキル又はフェニルであり；
Ｒ8は、Ｃ1−Ｃ8アルキル又はフェニルであり；
Ｒ9及びＲ10は、互いに独立して、水素又はＣ1−Ｃ8アルキルであるか、あるいはＲ9とＲ10は、一緒になって、Ｃ3−Ｃ7アルキレン（これは、−Ｏ−又は−Ｎ（Ｒ6）−で中断されていることができる）であり；
Ｒ27は、Ｃ1−Ｃ4アルキレンであり；
Ａ1は、請求項３記載の式（XIX）のモノマーからの重合性基である）の基である、請求項６記載のマクロ光開始剤。
【請求項８】  重合性部分Ａ1が、アクリラート類、メタクリラート類及びスチレン誘導体類からなる群から選択されるモノマーからのものである、請求項７記載のマクロ光開始剤。
【請求項９】  連鎖移動剤を有する光開始剤を、モノマーと熱重合させることにより、マクロ光開始剤を製造する方法。
【請求項１０】  連鎖移動剤として、請求項２記載の式（Ｉ）、（II）、（III）又は（IV）の光開始剤の使用。
【請求項１１】  少なくとも１つのエチレン性不飽和の二重結合を含む、モノマー性、オリゴマー性又はポリマー性化合物を光重合させるための方法であって、この化合物に請求項１記載のマクロ光開始剤の少なくとも１種を加え、次いでこの配合物に電磁放射線を照射することを特徴とする方法。
【請求項１２】  着色若しくは非着色ペイント又はワニスの製造のため、透明及び着色水性分散物、粉体被覆物、印刷インキ、印刷版、接着剤、歯科充填剤配合物、導波路、光スイッチ、色試験システム、ガラス繊維ケーブル被覆物、スクリーン印刷型板、レジスト材料又は複合成形材料の製造のため、写真複製のため、スクリーン印刷のための、プリント電子回路用フォトレジストのためのマスクを製造するため、電気若しくは電子素子をカプセル化するため、磁気記録材料を製造するため、ステレオリソグラフィ又はバルク硬化による３次元の目的物を製造するため、あるいは画像記録材料として、特にホログラフ記録のための、請求項１記載のマクロ光開始剤の使用。
【請求項１３】  着色若しくは非着色ペイント又はワニスの製造のため、透明及び着色水性分散物、粉体被覆物、印刷インキ、印刷版、接着剤、歯科充填剤配合物、導波路、光スイッチ、色試験システム、ガラス繊維ケーブル被覆物、スクリーン印刷型板、レジスト材料又は複合成形材料の製造のため、写真複製用、スクリーン印刷用又は、プリント電子回路用フォトレジスト用マスクを製造するため、電気若しくは電子素子をカプセル化するため、磁気記録材料を製造するため、ステレオリソグラフィ又はバルク硬化による３次元の目的物を製造するため、あるいは画像記録材料として、特にホログラフ記録のための、請求項１１記載の方法。
【請求項１４】  （Ａ）エチレン性不飽和の光重合性化合物の少なくとも１種、及び
（Ｂ）請求項１記載のマクロ光開始剤の少なくとも１種を含む光重合性配合物。
【請求項１５】  成分（Ｂ）に加えて、更なる光開始剤（Ｃ）の少なくとも１種及び／又は更なる共開始剤（Ｄ）及び／又は他の添加剤を含む、請求項１４記載の重合性配合物。
【請求項１６】  請求項３記載の式（XIX）のモノマーを請求項１記載のマクロ光開始剤と光重合することにより得ることができるブロックコポリマー。
【請求項１７】  式（XVI）、（XVII）又は（XVIII）：
【化２４】
2002517522.tif 000024
（式中、
Ａｒ2は、下記式：
【化２５】
2002517522.tif 000025
の基（そのそれぞれは、非置換又は１〜３個の、Ｃ1−Ｃ12アルキル、−ＯＲ7、−ＳＲ8若しくは−ＮＲ9Ｒ10により置換されている）のいずれかであり；
Ｘは、直接結合、−Ｏ−、−Ｓ−又は−Ｎ（Ｒ6）−であり；
Ｅ1は、Ｃ1−Ｃ12アルキレン、フェニレン、キシリレン、又はＣ2−Ｃ6アルキレン（これは、１〜２個の、−Ｏ−、−Ｓ−、−ＯＣ（＝Ｏ）−により中断されている）であり；
Ｅ2は、３個の遊離の結合手を有するＣ1−Ｃ8アルキレン、３個の遊離の結合手を有するＣ2−Ｃ12アルキレン（これは、１〜３個の、−Ｏ−、−Ｓ−、−ＯＣ（＝Ｏ）−により中断されている）であるか、又はＥ2は、下記式：
【化２６】
2002517522.tif 000026
の基のいずれかであり；
Ｅ3は、４個の遊離の結合手を有するＣ1−Ｃ12アルキレン、又は４個の遊離の結合手を有するＣ2−Ｃ12アルキレン（これは、１〜３個の、−Ｏ−、−Ｓ−、−ＯＣ（＝Ｏ）−により中断されている）であり；
Ｒ6は、水素、Ｃ1−Ｃ8アルキル又はフェニルであり；
Ｒ7は、水素、Ｃ1−Ｃ8アルキル又はフェニルであり；
Ｒ8は、Ｃ1−Ｃ8アルキル又はフェニルであり；
Ｒ9及びＲ10は、互いに独立して、水素又はＣ1−Ｃ8アルキルであるか、又はＲ9とＲ10は、一緒になって、Ｃ3−Ｃ7アルキレン（これは、−Ｏ−又は−Ｎ（Ｒ6）−により中断されていることができる）であり；
Ａ1及びＡ2は、請求項３記載の式（XIX）のモノマーからの重合性基であるが、但しＡ1とＡ2は、異なる）で示される、請求項１６記載のブロックコポリマー。
【請求項１８】  請求項１７記載の式（XVI）、（XVII）又は（XVIII）のブロックコポリマーを製造するための方法であり、請求項１記載のマクロ光開始剤及び請求項３記載の式（XIX）のラジカル重合性モノマーの少なくとも１種を混合し、次いで光を照射する方法。
【請求項１９】  顔料分散物、エマルション安定剤、プラスチックエラストマー、抗収縮剤、被覆剤、医学材料又は画像材料の製造のための、請求項１６又は１７記載のブロックコポリマーの使用。
【誤訳訂正２】
【訂正対象書類名】明細書
【訂正対象項目名】００１９
【訂正方法】変更
【訂正の内容】
【００１９】
の基であり；
Ｘは、直接結合、−Ｏ−、−Ｓ−又は−Ｎ（Ｒ6）−であり；
Ｙは、水素、Ｃ1−Ｃ12アルキル（これは、非置換又は１〜５個の、ＯＨ、ＯＲ6、ＣＯＯＲ6、ＳＨ、Ｎ（Ｒ6）2若しくはハロゲンにより、又は式（Ｉａ）：
【誤訳訂正３】
【訂正対象書類名】明細書
【訂正対象項目名】００２７
【訂正方法】変更
【訂正の内容】
【００２７】
の基であり；
Ｒ3は、水素、Ｃ1−Ｃ12アルキル；Ｃ2−Ｃ4アルキル（これは、ＯＨ、ＳＨ、Ｃ1−Ｃ4アルコキシ、ＣＮ又は−ＣＯＯ（Ｃ1−Ｃ4アルキル）で置換されている）であるか；又はＲ3は、Ｃ3−Ｃ5アルケニル、Ｃ5−Ｃ12−シクロアルキル若しくはフェニル−Ｃ1−Ｃ3アルキルであり；
Ｒ4は、Ｃ1−Ｃ12アルキル；Ｃ2−Ｃ4アルキル（これは、ＯＨ、ＳＨ、Ｃ1−Ｃ4アルコキシ、ＣＮ又は−ＣＯＯ（Ｃ1−Ｃ4アルキル）により置換されている）であるか；又はＲ4は、Ｃ3−Ｃ5アルケニル、Ｃ5−Ｃ12−シクロアルキル、フェニル−Ｃ1−Ｃ3アルキル；又はフェニル（これは、非置換又はハロゲン、Ｃ1−Ｃ12アルキル、Ｃ1−Ｃ4アルコキシ若しくは−ＣＯＯ（Ｃ1−Ｃ4アルキル）により置換されている）であるか；あるいはＲ4は、Ｒ2と一緒になって、Ｃ1−Ｃ7アルキレン、フェニル−Ｃ1−Ｃ4アルキレン、ｏ−キシリレン、２−ブテニレン、Ｃ2−Ｃ3オキサアルキレン又はＣ2−Ｃ3アザアルキレンであるか；あるいは
Ｒ3とＲ4は、一緒になって、Ｃ3−Ｃ7アルキレン（これは、−Ｏ−、−Ｓ−、−ＣＯ−若しくは−Ｎ（Ｒ6）−により中断されていることができ、かつ非置換又はＯＨ、ＳＨ、Ｃ1−Ｃ4アルコキシ若しくは−ＣＯＯ（Ｃ1−Ｃ4アルキル）により置換されている）であり；
Ｒ5は、Ｃ1−Ｃ6アルキレン、キシリレン、シクロヘキシレン（このそれぞれは、非置換又は１〜５個のＳＨにより置換されている）であるか；又はＲ5は、直接結合であり；
Ｒ6は、水素；Ｃ1−Ｃ12アルキル（これは、非置換又はＯＨ、ＳＨ若しくはＨＳ−（ＣＨ2）q−（ＣＯ）Ｏ−で置換されている）；Ｃ2−Ｃ12アルキル（これは、−Ｏ−、−ＮＨ−又は−Ｓ−で中断されている）であるか；又はＲ6は、Ｃ3−Ｃ5アルケニル、フェニル、フェニル−Ｃ1−Ｃ3−アルキル、ＣＨ2ＣＨ2ＣＮ；Ｃ1−Ｃ4アルキル−ＣＯ−ＣＨ2ＣＨ2−（これは、非置換又はＯＨ若しくはＳＨにより置換されている）；Ｃ2−Ｃ8アルカノイル（これは、非置換又はＯＨ若しくはＳＨにより置換されている）であるか；あるいはＲ6は、ベンゾイルであり；
Ｚは、下記式：
【誤訳訂正４】
【訂正対象書類名】明細書
【訂正対象項目名】００３３
【訂正方法】変更
【訂正の内容】
【００３３】
の基、−ＣＯ（Ｃ1−Ｃ4アルキル）又はベンゾイルにより一若しくは多置換されている）であるか；あるいはＲ8は、２，３−エポキシプロピル、フェニル−Ｃ1−Ｃ3アルキル、フェニル−Ｃ1−Ｃ3ヒドロキシアルキル；フェニル（これは、非置換又はハロゲン、ＳＨ、Ｃ1−Ｃ4アルキル、Ｃ1−Ｃ4アルコキシ若しくは−ＣＯＯ（Ｃ1−Ｃ4アルキル）により一若しくは多置換されている）であるか；あるいはＲ8は、２−ベンゾチアジル、２−ベンズイミダゾリル、−ＣＨ2ＣＨ2−Ｏ−ＣＨ2ＣＨ2−ＳＨ又は−ＣＨ2ＣＨ2−Ｓ−ＣＨ2ＣＨ2−ＳＨであり；
Ｒ9及びＲ10は、互いに独立して、水素、Ｃ1−Ｃ12アルキル；Ｃ2−Ｃ4アルキル（これは、ＯＨ、ＳＨ、Ｃ1−Ｃ4アルコキシ、ＣＮ又は−ＣＯＯ（Ｃ1−Ｃ4アルキル）で置換されている）；あるいはＲ9及びＲ10は、互いに独立して、Ｃ3−Ｃ5アルケニル、シクロヘキシル、フェニル−Ｃ1−Ｃ3アルキル；フェニル（これは、非置換又はＣ1−Ｃ12アルキル若しくはハロゲンにより一若しくは多置換されている）であるか；あるいは
Ｒ9とＲ10は、一緒になって、Ｃ2−Ｃ7アルキレン（これは−Ｏ−、−Ｓ−又は−Ｎ（Ｒ6）−により中断されていることができる）であり；
Ｒ11及びＲ12は、互いに独立して、直接結合、−ＣＨ2−、−ＣＨ2ＣＨ2−、−Ｏ−、−Ｓ−、−ＣＯ−又は−Ｎ（Ｒ6）−であるが；但しＲ11とＲ12は、同時に直接結合ではなく；
Ｒ13は、水素；Ｃ1−Ｃ8アルキル又はフェニル（このそれぞれは、非置換又は１〜５個のＳＨにより置換されている）であり；
Ｒ14、Ｒ15及びＲ16は、互いに独立して、水素又は非置換若しくはＳＨ−置換Ｃ1−Ｃ4アルキルであり；
Ｒ17は、水素、非置換若しくはＳＨ−置換Ｃ1−Ｃ8アルキル又は非置換若しくはＳＨ−置換フェニルであり；
Ｒ18は、Ｃ2−Ｃ16アルキレン（これは、非置換又は１〜５個のＳＨ基により置換されており、そしてそれは、１〜６個の−Ｏ−、−Ｓ−又は−Ｎ（Ｒ17）−により中断されていることができる）であり；
Ｒ19は、Ｃ1−Ｃ4アルキル、Ｃ2−Ｃ4アルケニル又はフェニルであり；
Ｒ20及びＲ21は、互いに独立して、Ｃ1−Ｃ4アルキル又はフェニルであり；
Ｒ22は、Ｃ1−Ｃ18アルキル、フェニル又はフェニル（これは、Ｃ1−Ｃ14アルキルにより置換されている）であり；
Ａｒ3は、フェニル、ナフチル、フリル、チエニル又はピリジルであって、このそれぞれは、非置換又はハロゲン、ＳＨ、ＯＨ若しくはＣ1−Ｃ12アルキル、Ｃ1−Ｃ4アルキル（これは、ＯＨ、ハロゲン、ＳＨ、−Ｎ（Ｒ17）2、Ｃ1−Ｃ12アルコキシ、−ＣＯＯ（Ｃ1−Ｃ18アルキル）、−ＣＯ（ＯＣＨ2ＣＨ2）nＯＣＨ3又は−ＯＣＯ（Ｃ1−Ｃ4アルキル）により置換されている）により置換されているか；又は該基類は、Ｃ1−Ｃ12アルコキシ、Ｃ1−Ｃ4アルコキシ（これは、−ＣＯＯ（Ｃ1−Ｃ18アルキル）又は−ＣＯ（ＯＣＨ2ＣＨ2）nＯＣＨ3により置換されている）により置換されているか；又は該基類は、−（ＯＣＨ2ＣＨ2）nＯＨ、−（ＯＣＨ2ＣＨ2）nＯＣＨ3、Ｃ1−Ｃ8アルキルチオ、フェノキシ、−ＣＯＯ（Ｃ1−Ｃ18アルキル）、−ＣＯ（ＯＣＨ2ＣＨ2）nＯＣＨ3、フェニル又はベンゾイルにより置換されており；
ｎは、１〜２０であり；
ｍは、２〜２０であるが；
但し、基Ａｒ、Ａｒ1、Ａｒ2、Ａｒ3、Ｒ1、Ｒ2、Ｒ3、Ｒ4、Ｒ5又はＹの少なくとも１つは、１〜５個の基ＳＨで置換されているか、又はＹは、少なくとも１つの−ＳＳ−基を含む）で示されるそれらである。